(57)【要約】【課題】基板及びコネクタにダメージを与えることなくコネクタを引抜くコネクタ引抜き工具を提供する。【解決手段】基板に対し垂直に差込まれたコネクタを引抜くためのコネクタ引抜工具において、前記コネクタの端部において前記コネクタを固定するための引掛部と、前記基板に対し垂直方向に延びるネジ部とを有するフック部と、前記基板及び前記コネクタの側面に接し、前記ネジ部が貫通する孔部を有するガイド部と、前記ネジ部に対応したネジが切られている取手を有する取手部と、を有し、前記取手を回すことにより、前記ネジ部を介し前記フック部を前記基板に対し持ち上げることにより前記コネクタを引抜くことを特徴とするコネクタ引抜工具を提供することにより上記課題を解決する。【選択図】  図４
2010244792.tif 000002
【特許請求の範囲】
【請求項１】
基板に対し垂直に差込まれたコネクタを引抜くためのコネクタ引抜工具において、
前記コネクタの端部において前記コネクタを固定するための引掛部と、前記基板に対し垂直方向に延びるネジ部とを有するフック部と、
前記基板及び前記コネクタの側面に接し、前記ネジ部が貫通する孔部を有するガイド部と、
前記ネジ部に対応したネジが切られている取手を有する取手部と、
を有し、
前記取手を回すことにより、前記ネジ部を介し前記フック部を前記基板に対し持ち上げることにより前記コネクタを引抜くことを特徴とするコネクタ引抜工具。
【請求項２】
前記ガイド部の内側には前記基板に対し垂直方向に延びる溝部を有し、前記フック部には前記溝部に沿って移動する凸部が設けられていることを特徴とする請求項１に記載のコネクタ引抜工具。
【請求項３】
前記フック部と前記ガイド部とは分離可能なものであって、
前記コネクタの端部を前記フック部の前記引掛部に固定した後、
前記孔部を前記ネジ部に通すとともに、前記ガイド部を前記凸部に前記溝部が入るように挿入し、この後、前記ネジ部と前記取手を接続することを特徴とする請求項２に記載のコネクタ引抜工具。
【発明の詳細な説明】
【技術分野】
【０００１】
本発明は、コネクタ引抜工具に関する。
【背景技術】
【０００２】
通信機器等において、内部にバックプレーンとバックプレーンに対して垂直に接続される基板が複数配列されているものがある。バックプレーンにはプラグコネクタが装着されており、接続される基板の端部には、ジャックコネクタが装着されている。このジャックコネクタとプラグコネクタとを接続することにより、バックプレーンと各々の基板とが電気的に接続される。
【０００３】
近年、信号の伝送速度が高速になってきており、上述のジャックコネクタにおいて、信号伝送用コンタクトを有するコンタクトモジュールと、シールド部材とが交互に並んで密に組み込まれているものを複数段有する構造、即ち、信号伝送用コンタクトが２次元的に配列された構造のものが用いられている。
【０００４】
このようなジャックコネクタが基板に装着されている場合において、リペア等によりジャックコネクタを基板より引抜く場合があり、この際、基板等からジャックコネクタを直接引抜こうとすると、ジャックコネクタ及び基板に応力等がかかってしまい、基板にダメージを与えてしまう。具体的には、基板の端子やスルーホールを破壊してしまう場合がある。
【０００５】
特に、上述のように細長く小さなコンタクトを複数有するジャックコネクタの場合では、接続される基板の端子の数も多く、僅かな応力が加わるだけでも基板に対しダメージを与える場合があり、一度取り付けたジャックコネクタを取り外すことは容易ではなかった。
【先行技術文献】
【特許文献】
【０００６】
【特許文献１】特開２００１−３１９７５３号公報
【発明の概要】
【発明が解決しようとする課題】
【０００７】
本発明は、細長く小さな端子を複数有するコネクタ、例えば、基板に装着されたバックプレーン用高速伝送のジャックコネクタを基板にダメージを与えることなく、基板より引抜くための工具を提供することを目的とするものである。
【課題を解決するための手段】
【０００８】
本発明は、基板に対し垂直に差込まれたコネクタを引抜くためのコネクタ引抜工具において、前記コネクタの端部において前記コネクタを固定するための引掛部と、前記基板に対し垂直方向に延びるネジ部とを有するフック部と、前記基板及び前記コネクタの側面に接し、前記ネジ部が貫通する孔部を有するガイド部と、前記ネジ部に対応したネジが切られている取手を有する取手部と、を有し、前記取手を回すことにより、前記ネジ部を介し前記フック部を前記基板に対し持ち上げることにより前記コネクタを引抜くことを特徴とする。
【０００９】
また、本発明は、前記ガイド部の内側には前記基板に対し垂直方向に延びる溝部を有し、前記フック部には前記溝部に沿って移動する凸部が設けられていることを特徴とする。
【００１０】
また、本発明は、前記フック部と前記ガイド部とは分離可能なものであって、前記コネクタの端部を前記フック部の前記引掛部に固定した後、前記孔部を前記ネジ部に通すとともに、前記ガイド部を前記凸部に前記溝部が入るように挿入し、この後、前記ネジ部と前記取手を接続することを特徴とする。
【発明の効果】
【００１１】
本発明によれば、細長く小さな端子を複数有するコネクタ、例えば、基板に装着されたバックプレーン用高速伝送のジャックコネクタを基板にダメージを与えることなく基板より引抜くことができる。
【図面の簡単な説明】
【００１２】
【図１】ジャックコネクタ及びプラグコネクタの斜視図
【図２】基板に装着されたジャックコネクタの斜視図
【図３】ジャックコネクタとプラグコネクタとが接続した状態の斜視図
【図４】本実施の形態に係るコネクタ引抜工具の斜視図
【図５】ガイド部の斜視図
【図６】フック部の斜視図
【図７】本実施の形態に係るコネクタ引抜工具による引抜き方法の説明図（１）
【図８】本実施の形態に係るコネクタ引抜工具による引抜き方法の説明図（２）
【図９】フック部の変形例の斜視図
【発明を実施するための形態】
【００１３】
本発明を実施するための形態について、以下に説明する。
【００１４】
（コネクタ）
最初に、本実施の形態のコネクタ引抜工具により引抜かれるコネクタについて説明する。このコネクタは、バックプレーンとバックプレーンに垂直に接続される基板とを接続するためのコネクタである。
【００１５】
図１から図３に基づき、このコネクタ１０について説明する。このコネクタ１０は、ジャックコネクタ２０とプラグコネクタ１１から構成されている。図１は、ジャックコネクタ２０及びプラグコネクタ１１の基板面側の斜視図であり、図２は、ジャックコネクタ２０が基板１６に接続された状態の斜視図であり、図３は、ジャックコネクタ２０とプラグコネクタ１１とが接続した状態の斜視図である。
【００１６】
ジャックコネクタ２０は、基板１６の端部に装着されており、プラグコネクタ１１はバックプレーン１５に装着されている。基板１６の端部には複数のジャックコネクタ２０が配列されており、バックプレーン１５に設けられた対応する複数のプラグコネクタ１１と接続するような構成となっている。また、バックプレーン１５には、このようなプラグコネクタ１１群が複数設けられており、複数の基板１６と接続することができるよう構成されている。
【００１７】
ジャックコネクタ２０は、高速伝送対応のジャックコネクタであり、ハウジング２１内においてジャックコンタクト３１ａとシールドジャック３２が交互に並んで配列されており、この構成のものが複数段設けられている。尚、ジャック端子３１ｂとジャックコンタクト３１ａとは電気的に接続されている。一方、プラグコネクタ１１は、ハウジング部１２の内側にプラグコンタクト１３と平板形状のシールドプラグ１４とが交互に並んで配列されており、この構成のものが複数段設けられている。
【００１８】
プラグコネクタ１１とジャックコネクタ２０とは、プラグコネクタ１１のプラグコンタクト１３がジャックコネクタ２０の開口部２３に挿入され、プラグコネクタ１１のシールドプラグ１４がジャックコネクタ２０の開口部２７に挿入されることにより電気的に接続される。即ち、プラグコンタクト１３とジャックコンタクト３１ａとが嵌合して電気的に接続され、シールドプラグ１４がシールドジャック３２と接触することにより電気的に接続される。
【００１９】
（コネクタ引抜工具）
次に、図４から図６に基づき本実施の形態に係るコネクタ引抜工具について説明する。本実施の形態に係るコネクタ引抜工具は、ガイド部５０、フック部６０及び取手部７０により構成されている。
【００２０】
ガイド部５０は、コの字状に形成されており、後述するように基板１６と接するストッパ部５１が下部に設けられ、ストッパ部５１より、基板１６に垂直方向に延びる溝部５２が、対峙する二つの面に形成されている。この溝部５２は、図に示すように開口を有していてもよく、また、開口を有することなく溝のみが形成されたものであってもよい。更に、ガイド部５０の上部には、上面部が設けられており、上面部には後述するフック部６０のネジ部を通すための孔部５３が設けられている。
【００２１】
また、フック部６０は、Ｌの字状に形成されており、フック部６０の下部は、後述するコネクタを引っ掛けるための引掛部６１が設けられており、上部における側部６２の両側には、凸部６３が設けられている。この凸部６３は、ガイド部５０の溝部５２に対応して形成されたものであり、凸部６３が溝部５２を上下方向に移動可能なように構成されている。更に、フック部６０の上部には、円柱状のネジ部６４が設けられており、ネジ部６４にはネジ（雄ネジ）が切られている。
【００２２】
また、取手部７０は、接続部７１と取手７２が設けられており、接続部７１に対し取手７２が、回転するよう構成されている。取手７２の内側にはネジ部６４に対応したネジ部７３（雌ネジ）が設けられており、図４に示す状態では、ガイド部５０の孔部５３にフック部６０のネジ部６４が貫通し、さらに、取手７２のネジ部７３とネジ部６４とが嵌合した状態となっている。この状態で、取手７２を回すことにより、フック部６０のネジ部６４が持ち上げられ、これに伴い、ガイド部５０に対し、フック部６０が相対的に持ち上げられる。
【００２３】
尚、取手部７０の接続部７１はガイド部５０の上面に接している。また、ガイド部５０の下部は、ジャックコネクタ２０の側面と接触しており、取手７２を回してもフック部６０が回転することなく持ち上げられるように構成されている。
【００２４】
次に、図７及び図８に基づき本実施の形態におけるコネクタ引抜工具により、コネクタを引抜く方法について説明する。
【００２５】
最初に、図７に示すように、本実施の形態におけるコネクタ引抜工具を基板１６に装着されているジャックコネクタ２０に固定する。ジャックコネクタ２０は基板１６端部に装着されており、ジャックコネクタ２０が基板１６より出っ張っている部分２０ａの下部の端部に、フック部６０の引掛部６１を引っ掛ける。尚、図６に示すフック部６０の引掛部６１の内側から側部６２の内側までの長さＬは、引抜くジャックコネクタ２０の高さと対応して形成されており、この部分にジャックコネクタ２０が丁度入ることができるよう構成されている。
【００２６】
このコネクタ引抜工具の設置方法は、最初にフック部６０の引掛部６１にジャックコネクタ２０を引っ掛けることにより固定した後、フック部６０のネジ部６３をガイド部５０の孔部５３を貫通させるとともに、ガイド部５０の溝部５２内にフック部６０の凸部６３が入るように接続し、この後、取手７２のネジ部７３をフック部６０のネジ部６３と嵌合させる。
【００２７】
次に、図８に示すように、取手７２を回すことにより、フック部６０が、ガイド部５０に対し相対的に持ち上げられる。即ち、取手７２を回すことにより、フック部６０に設けられたネジ部６４が取手７２の内部に設けられたネジ部７３により、上に持ち上げられ、これにより、フック部６０が、ガイド部５０に対し相対的に持ち上げられる。
【００２８】
ガイド部５０は基板１６とストッパ部５１を介し接触しているため、取って７２を回すことにより、フック部６０が相対的に上昇する。この際、フック部６０の凸部６３は、ガイド部５０に設けられた溝部５２内を移動しフック部６０が上方向に移動する。
【００２９】
このように、フック部６０がガイド部５０に対し相対的に持ち上げられることにより、フック部６０とともに、ジャックコネクタ２０も基板１６に対し相対的に持ち上げられる。これにより、基板１６よりジャックコネクタ２０を引抜くことができる。
【００３０】
尚、大きさが異なるジャックコネクタ２０を引抜く場合には、フック部６０における長さＬを引抜くジャックコネクタ２０の高さに調節したフック部６０を用いる。この際、フック部６０における長さＬは、側部６２の厚さを厚くすることにより調節される。即ち、図９に示されるように、フック部６０の側部６２を厚くすることにより、この部分の長さを短く長さＬ１としたものを用いる。これにより、低い高さのコネクタを引抜く場合においても、このフック部６０を用いることにより同様のガイド部５０と取手部７０を用いてジャックコネクタ２０を引抜くことができる。
【００３１】
本実施の形態では、ジャックコネクタ２０のジャック端子等に不必要な応力が加わることがないため、基板１６にダメージを与えることなく、上方向に持ち上げて引抜くことができる。即ち、基板１６の電極やスルーホールにダメージを与えることなくジャックコネクタ２０を引抜くことができる。
【００３２】
尚、本実施に形態では、基板に装着されたジャックコネクタを引抜く場合について説明したが、同様の方法により、同様に構成されるプラグコネクタを引抜く場合にも適用することが可能である。
【００３３】
以上、本発明の実施に係る形態について説明したが、上記内容は、発明の内容を限定するものではない。
【符号の説明】
【００３４】
１６    基板
２０    ジャックコネクタ
５０    ガイド部
５１    ストッパ部
５２    溝部
５３    孔部
６０    フック部
６１    引掛部
６３    凸部
６４    ネジ部
６２    側部
７０    取手部
７１    接続部
７２    取手
【図１】
2010244792.tif 000003
【図２】
2010244792.tif 000004
【図３】
2010244792.tif 000005
【図４】
2010244792.tif 000006
【図５】
2010244792.tif 000007
【図６】
2010244792.tif 000008
【図７】
2010244792.tif 000009
【図８】
2010244792.tif 000010
【図９】
2010244792.tif 000011